(57)【要約】【課題】内側の電子回路から外部への高周波ノイズの放射と、逆に外部から電子回路へ高周波ノイズが侵入するのを防止でき、開閉操作や開閉部を開放しての作業を阻害しないプリンタ筐体を提供する。【解決手段】金属製の筐体本体２に金属性の蝶板４を介して取り付けられた絶縁性の前面パネル３に、金属性のボルト５等を介して蝶板４の一端側を螺着すると共に、前面パネル３の内側に電子回路１０と蝶板４とを導通するように導電性粘着テープ２１を貼付する。【選択図】        図２
2004214307.tif 000002
【特許請求の範囲】
【請求項１】
金属製の筐体本体に金属性の蝶板を介して取り付けられ、前記筐体本体から電気的に絶縁された開閉部を備えたプリンタ筐体において、前記筐体本体には金属性ねじを介して前記蝶板の一端側を螺着すると共に、前記開閉部内側に電子回路と蝶板の他端側の取付部とを導通するように導電性粘着テープを貼付したことを特徴とするプリンタ筐体。
【発明の詳細な説明】
【０００１】
【発明の属する技術分野】
本発明は、内側に収容した電子回路から外部への高周波ノイズの放射と、外部から電子回路へと高周波ノイズが侵入するのを防止できるようにしたプリンタ筐体に関する。
【０００２】
【従来の技術】
図３、図４に従来のプリンタ筐体を用いたラベルプリンタの一例を示す。なお、図３はラベルプリンタの正面図、図４は図３中のIV−IV方向断面図である。
【０００３】
ラベルプリンタ１は金属製の箱形フレームからなる筐体本体２の内部に、図示しないプリンタエンジンや制御回路を収容した構成であり、筐体本体２の開口部分を施蓋するように開閉部としての前面パネル３（図３では仮想線にて透過像を示す）が設けられている。
【０００４】
前記前面パネル３は合成樹脂などの絶縁材料から形成され、金属製の蝶板４に金属製のボルト５、ナット６、ワッシャ７を介して筐体本体２に取付けられている。
【０００５】
また、前記前面パネル３にはラベルプリンタ１を操作するためのキーボード８、液晶表示パネル９などが設けられ、これらを駆動する電子回路基板１０が前面パネル３の裏面からねじ１１を介して取り付けられている。なお、図４中の１０Ａは電子回路基板１０の導通部を、１０Ｂは絶縁部を示している。１２は前面パネル３に開口した窓部である。
【０００６】
１３はプリンタエンジンから排出される印字済みラベル用紙を所定寸法にカットするためのカッター部であり、該カッター部１３は前記キーボード８等と同様、前面パネル３に裏側から取り付けられ、これを駆動するための電子回路基板（図示せず）を備えている。
【０００７】
ここで、従来より電子回路を組み込んだ装置では、内部の電子回路から高周波ノイズを放射して無線通信の妨害や他の電子機器を誤動作させるのを防止し、また、逆に外部からのノイズの干渉を受けたりしないように、内部の電子回路を金属製の筐体等にハーネスを介して接地する技術が、例えば特許文献１等により知られている。
【０００８】
【特許文献１】
特開２００２−２００８１６号公報
【０００９】
【発明が解決しようとする課題】
ところで、今日では図３、図４に示したような、一部に合成樹脂などの絶縁性材料からなる開閉部を備えたプリンタ筐体が採用されており、表示装置やキーボードなどの操作部を構成する電子回路は小型軽量高密度化の結果、開閉部の裏側に取り付けられるようになっている。
【００１０】
しかしながら、前面パネル３が合成樹脂製のため、電子回路基板１０が接地点から電位的に浮いた状態となり、筐体外部に高周波ノイズを放射したり、逆に外部からのノイズに干渉されて動作不安定となってしまうという問題がある。
【００１１】
一方、特許文献１のように電子回路からハーネスを介して筐体の金属部分に接地する構造では、ハーネスが開閉部の動作に干渉したり、ハーネスを挟んだり、メンテナンス等の作業の邪魔になるという問題がある。
【００１２】
本発明は斯かる実情に鑑みなされたものであって、本発明は内側の電子回路から外部への高周波ノイズの放射と、逆に外部から電子回路へ高周波ノイズが侵入するのを防止でき、開閉操作や開閉部を開放しての作業を阻害しないプリンタ筐体を提供することを目的としている。
【００１３】
【課題を解決するための手段】
上記課題を解決するため、本発明が採用する構成の特徴は、金属製の筐体本体に金属性の蝶板を介して取り付けられ、前記筐体本体から電気的に絶縁された開閉部を備えたプリンタ筐体において、前記筐体本体には金属性ねじを介して前記蝶板の一端側を螺着すると共に、前記開閉部内側に電子回路と蝶板の他端側の取付部とを導通するように導電性粘着テープを貼付したことにある。
【００１４】
【発明の実施の形態】
以下、本発明の実施の形態をラベルプリンタの正面図である図１および図１中の矢示II-II方向断面図である図２に基づき説明する。なお、上述した従来技術と同一の構成要素には同一符号を付し、その説明を省略する。
【００１５】
ラベルプリンタ２０は従来技術のラベルプリンタ１とほぼ同様に、内部にプリンタエンジンや制御回路を収容した筐体本体２と、キーボード８、液晶表示パネル９および、これらを駆動する電子回路基板１０が取り付けられた前面パネル３を備えて構成されている。
【００１６】
然るに、本実施形態のラベルプリンタ２０には、前面パネル３の裏面に、キーボード８、液晶表示パネル９の電子回路基板１０およびカッター部１３の電子回路基板と前面パネル３と蝶板４との取付部とを導通するように導電性粘着テープ２１が貼付されている。
【００１７】
前記導電性粘着テープ２１は、例えば銅箔、金箔、銀箔、アルミ箔などの導電性の金属箔からなる基材２１Ａの裏面に粘着剤２１Ｂを設けたものであり、その一端は金属製のワッシャ７、ボルト５、ナット６を介して金属製の蝶板４に接地されており、該蝶板４は金属製のワッシャ７、ボルト５、ナット６を介して金属製の筐体本体２に接地されている。
【００１８】
また、前記導電性粘着テープ２１の他端側には電子回路基板１０が、導通部１０Ａと基材２１Ａと導通するように、ねじ１１を介して取り付けられている。
【００１９】
実施の形態にかかるラベルプリンタ２０は以上の如きものであり、導電性粘着テープ２１と金属製蝶板４等を介して電子回路基板１０等を接地したから、前面パネル３が合成樹脂製であっても、電子回路基板１０が確実に筐体本体２に接地され、筐体外部に高周波ノイズを放射したり、逆に外部からのノイズに干渉されて動作不安定となる危険性を解消できる。
【００２０】
また、ハーネスなどを介した接地構造ではないため、開閉部の動作に干渉したり、切断したり挟んだり、メンテナンス等の作業の邪魔になるという問題も発生せず、取り扱いも容易となる等の効果を奏する。
【００２１】
なお、本発明のプリンタ筐体は、上述の実施例にのみ限定されるものではなく、本発明の要旨を逸脱しない範囲内において種々変更を加え得ることは勿論である。例えば、金属製の箱体からなる筐体本体に扉状の前面パネルを備えたプリンタ筐体を例示したが、合成樹脂製の箱体と金属製扉からなるプリンタ筐体にも適用可能である。
【００２２】
【発明の効果】
以上説明したように、本発明のプリンタ筐体によれば、内側の電子回路から外部への高周波ノイズの放射と、逆に外部から電子回路へ高周波ノイズが侵入するのを防止でき、開閉操作や開閉部を開放しての作業を阻害しないプリンタ筐体が得られる。
【図面の簡単な説明】
【図１】本発明の実施の形態に掛かるラベルプリンタを示す正面図である。
【図２】図１中の矢示II-II方向断面図である。
【図３】従来の技術に掛かるラベルプリンタを示す正面図である。
【図４】図３中の矢示IV-IV方向断面図である。
【符号の説明】
２…筐体本体、３…前面パネル（開閉部）、４…蝶板、５…ボルト、６…ナット、７…ワッシャ、１０…電子回路基板、１０Ａ…導通部、１０Ｂ…絶縁部、２１…導電性粘着テープ
【図１】
2004214307.tif 000003
【図２】
2004214307.tif 000004
【図３】
2004214307.tif 000005
【図４】
2004214307.tif 000006